(57)【要約】フレキシブルコネクタは、第一及び第二の基板に対向する領域を有する単体のコネクタブロックを含む。第一及び第二の基板に対向する領域は、コネクタブロックの選択された表面上に互いに長手方向に離間している。コネクタブロックは、選択された表面を選択された表面とは反対側に対向する反対表面から横断方向に分離するブロック本体を含む。コネクタブロックは、第一及び第二の基板に対向する領域間に長手方向に介在するフレキシブルコネクタブリッジを含む。第一のコネクタポートは、第一の基板に対向する領域内に配置されている。第二のコネクタポートは、第二の基板に対向する領域内に配置されている。コネクタトレースは、第一及び第二の基板に対向する領域間のブロック本体の少なくとも一部を通過するように延在する。コネクタトレースは、第一及び第二のコネクタポートを電気的に接続する。フレキシブルコネクタを製造及び使用する方法も含まれる。
2019536294.tif 000002
【特許請求の範囲】
【請求項１】
フレキシブルコネクタであって、
第一及び第二の基板に対向する領域を有する単体のコネクタブロックであって、第一及び第二の基板に対向する領域は、前記コネクタブロックの選択された表面上に互いに長手方向に離間され、前記コネクタブロックは、前記選択された表面とは反対側に対向する反対表面から前記選択された表面を横断方向に分離するブロック本体を含み、前記コネクタブロックは、前記第一及び第二の基板に対向する領域間に長手方向に介在するフレキシブルコネクタブリッジを含む、前記コネクタブロックと、
前記第一の基板に対向する領域内に配置された第一のコネクタポートと、
前記第二の基板に対向する領域内に配置された第二のコネクタポートと、
前記第一及び第二の基板に対向する領域間の前記ブロック本体の少なくとも一部を通過するように延在するコネクタトレースとを備え、前記コネクタトレースは、前記第一及び第二のコネクタポートを電気的に接続する、フレキシブルコネクタ。
【請求項２】
前記コネクタブリッジ及び前記第一及び第二の基板に対向する領域が全て同じ材料から作製されている、請求項１に記載のフレキシブルコネクタ。
【請求項３】
前記コネクタブリッジは、前記第一及び第二の基板に対向する領域とは異なる材料から作製されている、請求項１に記載のフレキシブルコネクタ。
【請求項４】
前記コネクタブリッジ及び前記第一及び第二の基板に対向する領域は、前記コネクタブロックのモノリシック部品として同時かつ一体に形成されている、請求項２に記載のフレキシブルコネクタ。
【請求項５】
前記コネクタブロックの前記選択された表面及び前記反対表面のうちの選択された１つは、前記コネクタブロックの前記選択された表面及び前記反対表面のうちの他の１つとは前記コネクタブロックの長手方向の寸法に沿って異なる距離で外形が形成されている、請求項１に記載のフレキシブルコネクタ。
【請求項６】
前記コネクタブロックは、前記第一及び第二の基板に対向する領域の少なくとも１つにおける第一の横断方向の厚さと、前記とコネクタブリッジにおける第二の横断方向の厚さとを有し、前記第二の横断方向の厚さは、前記第一の横断方向の厚さに対して小サイズである、請求項１に記載のフレキシブルコネクタ。
【請求項７】
前記選択された表面は、第一及び第二の回路基板との間の電気的接続を形成するために第一及び第二の回路基板と対向し、前記ブロック本体は、前記選択された表面と前記反対表面との間に介在されている、請求項１に記載のフレキシブルコネクタ。
【請求項８】
前記ブロック本体は、少なくとも１つの厚肉部と、少なくとも１つの薄肉部とを含み、各コネクタトレースは、前記ブロック本体の厚肉部を通過するように横断方向に延在する少なくとも１つのビアを含む、請求項１に記載のフレキシブルコネクタ。
【請求項９】
回路基板上の対応する基板配向機構と選択的に係合するための少なくとも１つのコネクタ配向機構を含む、請求項１に記載のフレキシブルコネクタ。
【請求項１０】
前記ブロック本体は、複数の積層基板層を含み、前記選択された表面を形成する選択された基板層は、その長手方向の寸法に沿って大幅に変化する横断方向の厚さを有する、請求項１に記載のフレキシブルコネクタ。
【請求項１１】
方法であって、
横断方向に離間した上部及び底部の選択された基板表面を有する平坦な選択された基板を提供するステップと、
前記上部及び底部の選択された基板表面の選択された１つ上に互いに長手方向に離間した第一及び第二の基板に対向する領域を画定するステップと、
横断方向に離間した上部及び底部の対向基板表面を有する平坦な対向基板を提供するステップと、
前記選択された基板及び前記対向基板を共に取り付けて、外側対向表面上に第一及び第二の基板に対向する領域を有し、ブロック本体を含む単体のコネクタブロックを少なくとも部分的に形成するステップと、
導電性材料を堆積して前記第一の基板に対向する領域内に配置された第一のコネクタポートを形成するステップと、
導電性材料を堆積して前記第二の基板に対向する領域内に配置された第二のコネクタポートを形成するステップと、
前記選択された基板表面及び前記対向基板表面の少なくとも１つ上に導電性材料を堆積して、前記第一及び第二の基板に対向する領域間の前記ブロック本体の少なくとも一部を通過するように延在するコネクタトレースを形成するステップと、
前記第一及び第二のコネクタポートを前記コネクタトレースに電気的に接続するステップと、
前記選択された基板表面及び前記対向基板表面のうちの１つの厚さを選択的に減少させて、前記第一及び第二の基板に対向する領域間に長手方向に介在するフレキシブルコネクタブリッジを形成するステップと、
前記コネクタブリッジを用いて前記第一及び第二の基板に対向する領域の相対的な角度運動を可能にするステップと、を含む方法。
【請求項１２】
前記選択された基板表面及び前記対向基板表面のうちの１つの厚さを選択的に減少させて、前記第一及び第二の基板に対向する領域間に長手方向に介在するフレキシブルコネクタブリッジを形成するステップは、前記第一及び第二の基板に対向する領域が画定された後に、前記選択された基板表面及び前記対向基板表面のうちの１つの厚さを選択的に減少させることを含む、請求項１１に記載の方法。
【請求項１３】
前記選択された基板表面及び前記対向基板表面のうちの１つの厚さを選択的に減少させて、前記第一及び第二の基板に対向する領域間に長手方向に介在するフレキシブルコネクタブリッジを形成するステップは、前記第一及び第二の基板に対向する領域が画定された後に、前記選択された基板表面及び前記対向基板表面のうちの他方の１つの厚さを選択的に減少させることを含む、請求項１１に記載の方法。
【請求項１４】
前記選択された基板表面及び前記対向基板表面の少なくとも１つに導電性材料を堆積してコネクタトレースを形成するステップは、前記ブロック本体の厚肉部を通過するように横断方向に延在する少なくとも１つのビアを形成することを含む、請求項１１に記載の方法。
【請求項１５】
第一及び第二の相互に角度を付けて配置された回路基板を前記コネクタブロックを含むフレキシブルコネクタと電気的に接続するステップを含む、請求項１１に記載の方法。
【請求項１６】
第一及び第二の相互に角度を付けて配置された回路基板を前記コネクタブロックを含むフレキシブルコネクタと電気的に接続するステップは、回路基板上の基板配向機構を前記フレキシブルコネクタ上の対応するコネクタ配向機構と選択的に係合させることを含む、請求項１５に記載の方法。
【請求項１７】
複数対のパッドを相互に角度を付けて配置された回路基板上に電気的に接続するための装置であって、
横断方向に離間した上部及び底部の選択された基板表面を有する平坦な選択された基板であって、前記上部及び底部の選択された基板表面のうちの選択された１つ上に互いに長手方向に離間された第一及び第二の基板に対向する領域が存在している、前記平坦な選択された基板と、
横断方向に離間した上部及び底部の対向基板表面を有する平坦な対向基板と、前記選択された基板及び前記対向基板のうちの選択された１つは、その長手方向の寸法に沿って大きく変化する横断方向の厚さを有し、
前記選択された基板及び前記対向基板によって少なくとも部分的に形成された単体のコネクタブロックと、前記コネクタブロックは、ブロック本体を含み、
前記第一の基板に対向する領域内に配置された第一のコネクタポートと、
前記第二の基板に対向する領域内に配置された第二のコネクタポートと、
第一及び第二の基板に対向する領域間の前記ブロック本体の少なくとも一部を通過するように延在するコネクタトレースと、ここで、前記コネクタトレースは、前記第一及び第二のコネクタポートを電気的に接続し、
前記第一及び第二の基板に対向する領域間に長手方向に介在し、前記第一及び第二の基板に対向する領域の相対的な角度運動を可能にするフレキシブルコネクタブリッジとを備える装置。
【請求項１８】
前記コネクタブリッジ及び前記第一及び第二の基板に対向する領域は、全て同じ材料から作製されている、請求項１７に記載の装置。
【請求項１９】
前記コネクタブリッジは、前記第一及び第二の基板に対向する領域とは、異なる材料から作製されている、請求項１７に記載の装置。
【請求項２０】
前記コネクタブリッジ及び前記第一及び第二の基板に対向する領域が、前記コネクタブロックのモノリシック部品として同時かつ一体に形成されている、請求項１８に記載の装置。
【請求項２１】
前記コネクタブロックは、前記第一及び第二の基板に対向する領域の少なくとも１つにおける第一の横断方向の厚さと、前記とコネクタブリッジにおける第二の横断方向の厚さとを有し、前記第二の横断方向の厚さは、前記第一の横断方向の厚さに対して小サイズである、請求項１７に記載の装置。
【請求項２２】
前記ブロック本体は、少なくとも１つの厚肉部と、少なくとも１つの薄肉部とを含み、各コネクタトレースは、前記ブロック本体の厚肉部を通過するように横断方向に延在する少なくとも１つのビアを含む、請求項１７に記載の装置。
【請求項２３】
回路基板上の対応する基板配向機構と選択的に係合するための少なくとも１つのコネクタ配向機構を含む、請求項１７に記載の装置。
【発明の詳細な説明】
【技術分野】
【０００１】
本開示は、フレキシブルコネクタを使用するための装置及び方法に関し、より具体的には、複数対のパッドを相互に角度を付けて配置された回路基板上に電気的に接続するための装置及び方法に関する。
【背景技術】
【０００２】
洗練された集積システムは、所望のパッケージングサイズ／形状の目標を達成するために、電子部品の構成の組み合わせを使用し得る。例えば、二枚の回路基板は、所望の使用環境に適合するように互いにある角度（１８０°以外）で連結することができる。これらの相互に角度を付けた回路基板が共に電気的に接続される必要がある。現在、市販のアングルコネクタは、０．５〜０．７５ミリメートルのピッチ間隔で数百のＩ／Ｏ接続に対して回路基板間の９０°の接続のみが可能である。
【発明の概要】
【０００３】
一実施形態において、フレキシブルコネクタが記載されている。単体のコネクタブロックは、第一及び第二の基板に対向する領域を有する。第一及び第二の基板に対向する領域は、コネクタブロックの選択された表面上に互いに長手方向に離間されている。コネクタブロックは、選択された表面とは反対側に対向する反対表面から選択された表面を横断方向に分離するブロック本体を含む。コネクタブロックは、第一及び第二の基板に対向する領域間に長手方向に介在するフレキシブルコネクタブリッジを含む。第一のコネクタポートが第一の基板に対向する領域内に配置されている。第二のコネクタポートが第二の基板に対向する領域内に配置されている。コネクタトレースが、第一及び第二の基板に対向する領域間のブロック本体の少なくとも一部を通過するように延在している。コネクタトレースは、第一及び第二のコネクタポートを電気的に接続する。
【０００４】
一実施形態において、方法が提供される。平坦な選択された基板は、横断方向に離間した上部及び底部の選択された基板表面を有する。互いに長手方向に離間した第一及び第二の基板に対向する領域が、上部及び底部の選択された基板表面の選択された１つ上に画定される。平坦な対向基板は、横断方向に離間した上部及び底部の対向基板表面を有する。選択された基板及び対向基板が共に取り付けられて、外側対向表面上に第一及び第二の基板に対向する領域を有し、ブロック本体を含む単体のコネクタブロックが少なくとも部分的に形成される。導電性材料が堆積されて第一の基板に対向する領域内に配置された第一のコネクタポートが形成される。導電性材料が堆積されて第二の基板に対向する領域内に配置された第二のコネクタポートが形成される。選択された基板表面及び対向基板表面の少なくとも１つ上に導電性材料が堆積されて、第一及び第二の基板に対向する領域間のブロック本体の少なくとも一部を通過するように延在するコネクタトレースが形成される。第一及び第二のコネクタポートがコネクタトレースに電気的に接続される。選択された基板表面及び対向基板表面のうちの１つの厚さが選択的に減少されて、第一及び第二の基板に対向する領域間に長手方向に介在するフレキシブルコネクタブリッジが形成される。コネクタブリッジを用いて第一及び第二の基板に対向する領域の相対的な角度運動が可能となる。
【０００５】
一実施形態において、複数対のパッドを相互に角度を付けて配置された回路基板上に電気的に接続するための装置が提供される。平坦な選択された基板は、横断方向に離間した上部及び底部の選択された基板表面を有する。第一及び第二の基板に対向する領域が、上部及び底部の選択された基板表面のうちの選択された１つ上に互いに長手方向に離間されている。平坦な対向基板は、横断方向に離間した上部及び底部の対向基板表面を有する。選択された基板及び対向基板のうちの選択された１つは、その長手方向の寸法に沿って大きく変化する横断方向の厚さを有する。単体のコネクタブロックは、選択された基板及び対向基板によって少なくとも部分的に形成される。コネクタブロックは、ブロック本体を含む。第一のコネクタポートが第一の基板に対向する領域内に配置されている。第二のコネクタポートが第二の基板に対向する領域内に配置されている。コネクタトレースは、第一及び第二の基板に対向する領域間のブロック本体の少なくとも一部を通過するように延在している。コネクタトレースは、第一及び第二のコネクタポートを電気的に接続する。フレキシブルコネクタブリッジが、第一及び第二の基板に対向する領域間に長手方向に介在して、第一及び第二の基板に対向する領域の相対的な角度運動を可能にする。
【０００６】
よりよく理解するためには、添付の図面が参照され得る。
【図面の簡単な説明】
【０００７】
【図１】本発明の一の態様の概略正面図である。
【図２】例示的な使用環境における図１の態様の概略正面図である。
【図３】図１の態様の別の構成の概略正面図である。
【図４】例示的な使用環境における図１の構成の概略正面図である。
【図５Ａ−５Ｆ】図１及び３の態様の例示的な製造順序を概略的に示す図である。
【図６】図１の態様の概略平面図である。
【図７Ａ−７Ｂ】異なる例示的な構成を有する図１の態様の概略側面図である。
【図８】図７Ａの例示的な構成における図１の態様の斜視上面図である。
【図９Ａ−９Ｃ】図１の態様のインストールの例示的な順序を概略的に示す図である。
【発明を実施するための形態】
【０００８】
本明細書で使用されるような、用語「備える」及び／又は「備えている」は、記載された特徴、ステップ、動作、要素、及び／又は構成要素の存在を特定することができるが、１つ又は複数の他の特徴、ステップ、動作、要素、構成要素、及び／又はそれらのグループの存在又は追加を排除するものではない。
【０００９】
本明細書で使用されるような、用語「及び／又は」は、関連する列挙された項目のうちの１つ又は複数の任意の及び全ての組合せを含むことができる。
本明細書で使用されるような、「ＸとＹの間」及び「約ＸとＹの間」などの句は、ＸとＹを含むと解釈することができる。
【００１０】
本明細書で使用されるような、「約ＸとＹの間」などの句は、「約Ｘと約Ｙの間」を意味することができる。
本明細書で使用されるような、「約ＸからＹまで」のような句は、「約Ｘから約Ｙまで」を意味することができる。
【００１１】
ある要素が別の要素との「上に存在」、「取り付け」、「接続」、「結合」、「接触」などであると言及される場合、それは他の要素又は介在要素の上に直接的に存在し、取り付けられ、接続され、結合されるか、又は接触している場合が存在し得ることができることが理解されよう。対照的に、ある要素が、例えば、他の要素の「直接上に」、「直接に取り付けられた」、「直接に接続された」、「直接に結合された」又は「直接に接触する」として言及される場合、介在要素は存在しない。他の特徴に「直接隣接して」配置される構造又は特徴への言及は、隣接する特徴と重なり合うか又はその下にある部分を有し得るが、他の特徴に「隣接して」配置される構造又は特徴は、隣接する特徴と重なるか又はその下にある部分を有していない可能性があることは当業者には明らかであろう。
【００１２】
「下」、「下」、「下」、「上」、「上」などの空間的に相対的な用語は、説明を容易にするために本明細書では図に示されるような１つの要素又は特徴に対する別の要素又は特徴の関係を説明するために使用され得る。空間的に相対的な用語は、図に示されている向きに加えて、使用又は動作中の装置の異なる向きを包含し得ることが理解されよう。例えば、図中の装置が反転されている場合、他の要素又は特徴の「下」又は「真下」として説明されている要素は、他の要素又は特徴の「上」に向けられる。
【００１３】
「第一」、「第二」などの用語が様々な要素を説明するために本明細書で使用され得るが、これらの要素はこれらの用語によって限定されるべきではないことが理解されるであろう。これらの用語は、ある要素を他の要素と区別するためにのみ使用される。したがって、以下に説明する「第一の」要素は、本開示の教示から逸脱することなく、「第二の」要素とも呼ばれ得る。動作（又はステップ）の順序は、特に断らない限り、特許請求の範囲又は図面に提示されている順序に限定されない。
【００１４】
この技術は、以下の特徴を、任意の組み合わせで含む、から構成されるか、又は本質的に構成されている。
図１は、フレキシブル回路基板コネクタとし得るフレキシブルコネクタ１００として本明細書に示されている装置を示し、フレキシブルコネクタ１００は、図２の例としての回路基板を用いてより詳細に説明するように、相互に角度を付けて配置された電子部品上の複数対のパッドを電気的に接続するために使用することができる。本明細書に記載の回路基板の使用環境を用いるコネクタ技術は、他の電子部品を接続するような、任意の他のコネクタの使用環境に適用可能であることが理解されるであろう。フレキシブルコネクタ１００は、ストリップライン、コプレーナ導波路、及び／又はマイクロストリップルーティングを可能にし、かつ１００〜２００マイクロメートルのピッチの数百〜数千のＩ／Ｏ接続を提供するのに十分であり得る高密度の相互接続を有する。
【００１５】
図１に示すように、単体のコネクタブロック１０２は、それぞれ１０４及び１０６でそれぞれ全般的に示された一及び第二の基板と対向する領域を有する（用語「基板に対向する」は、回路基板の例示的な使用環境の状況で、説明を明確にするために本明細書で使用されるが、「基板」は、フレキシブルコネクタ１００の別の使用環境のために存在する必要はないことが意図されている。）。第一及び第二の基板に対向する領域１０４及び１０６は、コネクタブロック１０２の選択された表面（図１の向き及び構成では、下側）上に互いに長手方向に離間されている。本明細書で参照される「長手」方向は、図１の方向に実質的に水平であり、かつ矢印「Ｌ」によって表されている。コネクタブロック１０２は、選択された表面を、選択された表面とは反対側の対向する反対表面（図１の向き及び構成では、上側）から横断方向に分離するブロック本体１０８を含む。本明細書で参照される「横断」方向は、長手方向に対して直角であり、従って、図１の向きで、実質的に垂直であり、かつ矢印「Ｔ」によって表されている。
【００１６】
コネクタブロック１０２は、第一及び第二の基板に対向する領域１０４及び１０６間に長手方向に介在するフレキシブルコネクタブリッジ１１０を含む。コネクタブリッジ１１０及び第一及び第二の基板に対向する領域１０４及び１０６は、全て同一の材料から作製され得る。例えば、コネクタブロック１０２は、同じ元のブロックの原材料の薄肉（ゼロの厚さを含む）の部分としてのコネクタブリッジ１１０と、全厚さ部分としての第一及び第二の基板に対向する領域１０４と１０６とを生成するために、以下に説明されるように、また他の任意の適切な方法で処理されたシリコンウェハから少なくとも部分的に作製することができる。換言すれば、コネクタブリッジ１１０及び第一及び第二の基板に対向する領域１０４及び１０６は、コネクタブロック１０２のモノリシック部品として同時かつ一体に形成されてもよい（すなわち、分解後の製造用に意図されていない）。コネクタブロック１０２は、第一及び／又は第二の基板に対向する領域１０４及び１０６における第一の横断方向の厚さ（ｔ１）と、コネクタブリッジ１１０における第二の横断方向の厚さ（ｔ２）とを有し得る。第二の横断方向の厚さｔ２は、第一の横断方向の厚さｔ１に対して極小（三分の一未満）であり得る小サイズ（半分未満）であってもよい。例えば、第一の横断方向の厚さｔ１は、６４０〜６６０ミクロンの範囲内等の、６００〜７００ミクロンの範囲内とすることができ、第二の横断方向の厚さｔ２は、１０〜２０ミクロンの範囲内等の５〜２５ミクロンの範囲とすることができる（例えば、シリコンは、本明細書に開示されるような角度の範囲にわたって屈曲可能となるように、５〜２５ミクロンの厚さで十分にフレキシブルである。）。しかしながら、第一及び第二の横断方向の厚さｔ１及びｔ２は、特定の使用環境のために、実質的に同様であり得ることが企図される。
【００１７】
図示するように、コネクタブロック１０２の選択された表面及び反対表面のうちの選択された１つは、コネクタブロック１０２の選択された表面及び反対表面のうちの他方とは長手方向の寸法に沿って異なる距離で形成され得る。例えば、図１の構成に示すように、コネクタブロック１０２の反対（上部）表面は、使用準備ができている状態で、選択された（底部）面から反対表面の距離を直線的に変化させる「階段状」の外形（Ｐで全般的に示されている）を有し得る。コネクタブロック１０２の選択された表面及び反対表面のうちの選択された１つの外形が湾曲、曲線状、直線状、又は所望の形状（例えば、少なくとも部分的に傾斜又は湾曲）で変化してもよく、かつ外形は、代わりに、任意の所望の形状（例えば、漸次的又は階段状的な形状）で横（即ち、図１の紙面に出入りする）方向に変化させて、特定の使用環境に対する所望の特性を有するフレキシブルコネクタ１００を提供することができるように企図されている。例えば、これに限定されないが、補強又は取り扱い補助としての使用を含む任意の所望の理由のために、「スパイク」又は他の突起が外形Ｐに沿って長手方向に存在することができる。
【００１８】
フレキシブルコネクタ１００は、第一の基板に対向する領域１０４内に配置された第一のコネクタポート１１２を含む。第二のコネクタポート１１４は、第二の基板に対向する領域１０６内に配置されている。コネクタトレース１１６（図１において、２箇所でラベル付けされている）は、第一及び第二の基板に対向する領域１０４及び１０６間のブロック本体１０８の少なくとも一部を通過するように延在している。コネクタトレース１１６は、第一及び第二のコネクタポート１１２及び１１４を電気的に接続する。
【００１９】
図２に示すように、第一及び第二の回路基板２１８及び２２０と対向するフレキシブルコネクタ１００の選択された表面（この図では、図１の向きを用いた場合の底面）は、それぞれ、それらの間の電気的接続を形成するためのものである。ブロック本体１０８は、選択された表面と反対表面との間に介在されている。ブロック本体１０８の一部によって形成されるフレキシブルコネクタブリッジ１１０は、第一及び第二の基板に対向する領域１０４及び１０６の相対的な角度運動を可能にするように第一及び第二の基板に対向する領域１０４及び１０６間に長手方向に介在されている。このように、フレキシブルコネクタ１００は、相互に角度を付けて配置された第一及び第二の回路基板２１８及び２２０上の複数対のパッド２２２を電気的に接続するために屈曲し、かつ撓むことができる。第一及び第二の回路基板２１８及び２２０は、互いに対して作動角度αで配置されている。作動角度αは、フレキシブルコネクタ１００の所定の構成によって物理的に達成することができる任意の所望の角度であり得る。例えば、図２に示すように、作動角度αは約９０°、又は直交する直角である。当業者であれば、第一及び第二の回路基板２１８及び２２０間の所望の作動角度αに亘る適切な（相対及び絶対）の寸法及び可撓性を有するフレキシブルコネクタ１００を提供することができるであろう。
【００２０】
図１に戻り、ブロック本体１０８は、複数の積層基板の層を含み得る。例えば、図１に示すように、ブロック本体１０８は、ポリマー等の誘電物質（Ｄ）及び／又は金属（Ｍ）の一つ又は複数の層とともに積層されたシリコンからなる部分（Ｓ）を含むことができる。複数の金属の層が設けられる場合、任意に、金属の各層は、異なる位置の導電性トレースを含むことができる。
【００２１】
本発明の任意の態様による任意のフレキシブルコネクタ１００は、図１に示すように、横断方向に離間した上部及び底部の選択された基板表面１２６及び１２８をそれぞれ有する平坦な選択された基板（図１に１２４で示される）と、上部及び底部の選択された基板表面１２６及び１２８のうちの選択された１つ（ここでは、底部の選択された基板表面１２８）上で互いに長手方向に離間された第一及び第二の基板に対向する領域１０４及び１０６とを含むように構成することができる。平坦な対向基板（図１に１３０で示される）は、横断方向に離間された上部及び底部の対向基板表面１３２及び１３４をそれぞれ有する。選択された基板１２４及び対向基板１３０のうちの選択された一つ（ここでは、対向基板１３０）は、その長手方向の寸法に沿って大幅に変化する横断方向の厚さを有する。単体のコネクタブロック１０２は、選択された基板及び対向基板によって少なくとも部分的に形成されている。コネクタブロック１０２は、ブロック本体１０８を含む。第一のコネクタポート１１２は、第一の基板に対向する領域１０４内に配置されている。第二のコネクタポート１１４は、第二の基板に対向する領域１０６内に配置されている。コネクタトレース１１６は、第一及び第二の基板に対向する領域１０４及び１０６間のブロック本体１０８の少なくとも一部を通過するように延在し得る。コネクタトレース１１６は、第一及び第二のコネクタポート１１２及び１１４を電気的に接続する。フレキシブルコネクタブリッジ１１０は、第一及び第二の基板に対向する領域１０４及び１０６の相対的な角度運動を可能にするように第一及び第二の基板に対向する領域１０４及び１０６間に長手方向に介在され得る。この全般的な説明は、本明細書に示され、かつ記載された本発明の態様の任意の実施形態に適用される。しかしながら、この段落以前の基板の定義及び記述は、図１及び図２に示されるフレキシブルコネクタ１００の構成であって、コネクタブリッジ１１０がコネクタブロック１０２上に作動角度αの「内部」側に向かって配置されている構成に適用されることに留意されるべきである。
【００２２】
図１及び図２のフレキシブルコネクタ１００とは対照的に、図３及び図４に示されるフレキシブルコネクタ１００の構成において、コネクタブリッジ１１０は、コネクタブロック１０２上に作動角度αの「外部」側に向かって配置されている。従って、図示されたような「選択」された基板１２４及び「対向」基板１３０、及び「上部」及び「底部」の識別は、図１及び２の構成と比較して図３及び図４に示される構成に関して逆となっている。当業者であれば、これら２つの構成の各々を正確に参照するように方向及び定義を調整することができるやり方を理解するであろう。
【００２３】
図３及び図４の構成において、ブロック本体１０８は、図１及び図２の前述した構成のような少なくとも１つの厚肉部と少なくとも一つの薄肉部とを含む。しかしながら、図３及び図４の構成では、選択された表面を形成する選択された基板層１２４又は１３０は、その長手方向の寸法に沿って大幅に変化する横断方向の厚さを有する。したがって、このような構成の各コネクタトレース１１６は、ブロック本体の厚肉部を通過するように横断方向に延在する少なくとも１つのビア４３６を含む。このように、選択された基板１２４の材料は、第一及び第二の基板に対向する領域１０４及び１０６を含みつつ、前述の変化する外形Ｐを有することができる。当業者であれば、図３及び図４に示されたフレキシブルコネクタ１００の構成を設計し、かつ製造する方法を理解するであろう。従って、この説明の残りの記載、及び図５Ａ〜図９Ｃは、図３及び図４の構成を使用して説明しかつ図示した特徴及び動作の対応する特徴付けを排除するか又は不利益となることなく、例として図１及び図２の構成を使用する。
【００２４】
図５Ａ〜５Ｆを参照すると、フレキシブルコネクタ１００に関する製造の例示的な順序が示されている。図５Ａにおいて、ここでシリコン（又は、絶縁体上のシリコン）ウエハ又はブロック「Ｓ」として特徴付けられたベースブロックが設けられている。説明の便宜上、このブロック「Ｓ」は、横断方向に離間された上部及び底部の対向基板表面１３２及び１３４を有する平坦な対向基板１３０として記載されている。（図５Ａ〜５Ｆの「製造」は、図１に示される対応する完成したフレキシブルコネクタ１００とは「上下逆」であるものとして示されていることに留意すべきである。）平坦な選択された基板１２４は、横断方向に離間された上部及び底部の選択された基板表面１２６及び１２８を有し、「マルチレベルメタライゼーション層」構造であるとみなされる誘電体「Ｄ」及び金属「Ｍ」の交互積層構造を含むものとして図５Ｂに示されている。長手方向に互いに離間した第一及び第二の基板に対向する領域１０４及び１０６は、上部及び底部の選択された基板表面のうちの選択された１つ、ここでは、底部の選択された基板表面１２８上に画定されている。図５Ｂに示すように、選択された基板１２４及び対向基板１３０は、共に取り付けられて、外側対向表面上に第一及び第二の基板に対向する領域１０４及び１０６を有し、ブロック本体１０８を含む単体のコネクタブロック１０２を少なくとも部分的に形成する。
【００２５】
図５Ｃを参照すると、導電性材料は、第一の基板に対向する領域１０４内に配置される少なくとも１つの第一のコネクタポート１１２を生成するために堆積される。同様に、導電性材料は、第二の基板に対向する領域１０６内に配置される少なくとも１つの第二のコネクタポート１１４を生成するために堆積される。第一及び第二のコネクタポート１１２及び１１４が、本明細書においてバンプボンドであるものとして示されている。また、第一及び第二のコネクタポート１１２及び１１４は、代わりに、又はさらに圧接型インタフェースを含むことができることが企図されるが、圧接型インタフェースに関してフレキシブルコネクタ１００においてある種のホールドアウェイ（ｈｏｌｄａｗａｙ）構造を含むことが望ましい場合がある。
【００２６】
第一及び第二の基板に対向する領域１０４及び１０６間のブロック本体１０８の少なくとも一部を通過するように延在するコネクタトレース１１６を形成するために、導電性材料が、選択された基板表面及び対向基板表面のうちの少なくとも１つの上に堆積される。これは、例えば、図５Ｂ−５Ｆのいずれかにおいて生じ得る。第一及び第二のコネクタポート１１２及び１１４は、コネクタトレース１１６に電気的に接続されている（図３及び図４に示されるフレキシブルコネクタ１００の構成に関して、コネクタトレース１１６を形成するために選択された基板表面及び対向基板表面のうちの少なくとも１つの上に導電性材料を堆積することは、ブロック本体１０８の厚肉部を通過するように横断方向に延在する少なくとも１つのビアを作成することを含み得ることを留意すべきである。）。
【００２７】
任意選択的に、図５Ｃから開始して、「ハンドルウエハ」（図示せず）が選択された基板表面に着脱可能に付着されて、製造中に構造の脆弱部に過度に応力を加えることなく、フレキシブルコネクタ１００の取り扱いを容易にするようにし得る。
【００２８】
図５Ｄにおいて、対向基板１３０の厚さは、特に、設けられた初期のシリコンＳのブロックが最終のフレキシブルコネクタ１００の所望の厚さよりも厚い場合、任意の所望の方法で、対向基板１３０の全体の長手方向の寸法に亘って任意選択的に減少される。
【００２９】
次に、図５Ｅにおいて、第一及び第二の基板に対向する領域１０４及び１０６間に長手方向に介在するフレキシブルコネクタブリッジ１１０を形成するために、構成（ここでは、上部の対向基板表面１３２）に応じて、選択された基板表面及び対向基板表面のうちの１つの厚さが選択的に減少される。任意選択的に、フレキシブルコネクタブリッジ１１０（例えば、ｔ２の厚さまで）を形成するために、同様にフレキシブルコネクタ１００の構成に応じて、選択された基板表面及び対向基板表面のうちの１つの厚さを減少させることは、第一及び第二の基板に対向する領域１０４及び１０６が画定された後に、選択された基板表面及び対向基板表面のうちの選択された１つの厚さを選択的に減少させることを含み得る。代替的に、フレキシブルコネクタブリッジ１１０（例えば、ｔ２の厚さまで）を形成するために、再度同様にフレキシブルコネクタ１００の構成に応じて、選択された基板表面及び対向基板表面のうちの１つの厚さを減少させることは、第一及び第二の基板に対向する領域１０４及び１０６が画定された後に、選択された基板表面及び対向基板表面のうちの他方の１つの厚さを選択的に減少させることを含み得る。当業者であれば、本発明の特定の使用環境のための所望の構造及び特性を有するフレキシブルコネクタ１００を製造するために、標準的なシリコンファウンドリプロセス又は任意の他の所望のプロセス又は技術を使用して、適切な製造プロセスを形成することができるであろう。
【００３０】
図５Ｆにおけるダイシングソー５３８によって概略的に示されるように、細長い状態で大量生産されたチェーンのフレキシブルコネクタ１００のユニットは、エッチング、他の化学的技術、機械的技術、又は他の任意の所望の方法を介して非常に長い（図５Ａ〜５Ｆにおける紙面に出入りする）チェーンをストリップに切断することにより、使用可能な長さの個々の完成したフレキシブルコネクタ１００にダイシング又は個片化され得る。個々の完成したフレキシブルコネクタ１００の各々は、同様にこれらの図面の紙面に出入りする深さが例えば５〜５０ミリメートルの範囲内であり得、より具体的には、１０〜３０ミリメートルの範囲内であり得る。
【００３１】
完成したフレキシブルコネクタ１００の各々は、コネクタブリッジ１１０と第一及び第二の基板に対向する領域１０４との相対的な角度運動の円滑化を含み得る。このように、第一及び第二の相互に角度を付けて配置された回路基板２１８及び２２０は、図５Ａ〜５Ｆの順序を介して少なくとも部分的に形成されたコネクタブロック１０２を含むフレキシブルコネクタ１００と電気的に接続され得る。即ち、第一の基板に対向する領域１０４上の第一のコネクタポート１１２は、第一の回路基板２１８上の適切に配置されたパッド２２２との電気的接続をもたらし、第二の基板に対向する領域１０６上の第二のコネクタポート１１４は、第二の回路基板２２０上の対応するパッド２２２との電気的接続をもたらすことができる。第一及び第二の回路基板２１８及び２２０が作動角度αで相互に配置されつつ、第一及び第二の回路基板２１８及び２２２の選択された複数対のパッド２２２は、対応する第一及び第二のコネクタポート１１２及び１１４を接続するコネクタトレース１１６を介して直接電気的に接触することができる。
【００３２】
図６〜図９Ｃを参照すると、第一及び第二の回路基板２１８及び２２０に関連して、必要に応じてフレキシブルコネクタ１００を配置するための配向手法が示されている。少なくとも１つのコネクタ配向機構６４０は、コネクタブロック１０２に設けられ、任意選択的に図示するように、第一及び第二の基板に対向する領域１０４及び１０６の少なくとも一方に設けられている。例えば、図面にて示すように、コネクタ配向機構６４０は、ブロック本体１０８内への又はブロック本体１０８を貫通する全深さ穴（図７Ａに示すような）又は止まり穴（図７Ｂに示すような）であり得る。図８に示すように、コネクタ配向機構６４０は、第一又は第二の回路基板２１８又は２２０上の対応する基板配向機構８４２と選択的に係合するように構成されている。
【００３３】
基板配向機構８４２は、１つには開口型のコネクタ配向機構６４０とオス−メス方式で係合するペグとして本明細書に示されている。しかしながら、基板配向機構を、ペグ型のコネクタ配向機構とオス−メス方式で係合するための開口部とすることができることが企図される（いずれも図示せず）。また、フレキシブルコネクタ１００の特定の実施形態に関して必要に応じて、いくつかの基板配向機構を開口部とし、他のいくつかをペグとすることが、対応するコネクタ配向機構を設けつつ、可能であることが企図される。円形ペグ及び開口部が説明を簡単にするために示されているが、ペグ及び開口部、又は任意の他の配向機構構造は、特定の使用環境に関して必要に応じて、任意の適切な形状、構成、数、配置、及び／又は嵌合又は係合特徴を有することができることが企図される。任意選択的に、配向機構の構造の一方又は両方は、ねじ山を有することができるか、又はそれ以外にフレキシブルコネクタ１００と回路基板２１８及び２２０との係合及びメンテナンスを容易にするように構成することができる。
【００３４】
図８に示すように、フレキシブルコネクタ１００は、係合へと案内することができ、係合は、コネクタ配向機構６４０及び基板配向機構８４２を使用することによって、任意選択的に少なくとも部分的に実現される。第一及び第二の相互に角度を付けて配置された回路基板２１８及び２２０をコネクタブロック１２０を含むフレキシブルコネクタ１１０に電気的に接続する過程で、回路基板２１８又は２２０上の基板配向機構８４２をフレキシブルコネクタ１００上の対応するコネクタ配向機構６４０と選択的に係合する順序が、図９Ａ〜９Ｃに示されている。
【００３５】
図９Ａにおいて、コネクタ配向機構６４０が基板配向機構８４２と係合する態勢で、フレキシブルコネクタ１００が回路基板２１８又は２２０に対して必要に応じて整列されているものとして示されている。図９Ｂにおいて、フレキシブルコネクタ１００は、回路基板２１８又は２２２に向かって下降されて、基板配向機構８４２がコネクタ配向機構６４０に挿入される。また、図９Ｂに示すように、第一又は第二のコネクタポート１１２又は１１４は、パッド２２２と電気的に接触されている。最後に、図９Ｃにおいて、特に、熱膨張係数の不整合技術が使用される場合は、フレキシブルコネクタ１００を第一及び第二の回路基板２１８及び２２０のパッド２２２を有する所望のコンタクトと係合させるために、任意選択的にフレキシブルコネクタ１００を所望のコンタクトにまで降下させるために、コネクタ配向機構６４０及び基板配向機構８４２の一方又は両方が加熱される。
【００３６】
コネクタ配向機構及び基板配向機構がシステムに設けられているか否かにかかわらず、上記の取り付け順序を単に逆にすることによって、フレキシブルコネクタ１００を第一及び第二の回路基板２１８及び２２０から取り外すことができることが企図される。
【００３７】
また、コネクタブリッジ１１０においてシリコンウェハ又は他の原材料を完全に除去して（例えば、ゼロの厚さまで）、第一及び第二の基板に対向する領域１０４及び１０６とは異なる材料から作製されたコネクタのブリッジを設けることができることが企図される。
【００３８】
本開示の態様は、上記の例示的な実施形態を参照して特に示され説明されてきたが、様々な追加の実施形態が考えられ得ることが当業者によって理解されるであろう。例えば、装置を使用するための上記の特定の方法は単なる例示である。当業者であれば、上述の装置、又はその構成要素を本明細書に示し説明したものと実質的に同様の位置に配置するための任意の数のツール、一連の工程、又は他の手段／選択肢を容易に決定することができる。記載された構造及び構成要素のいずれかも、単一の単体部品又はモノリシック部品として一体的に形成されるか、又は別々のサブコンポーネントで構成することができ、これらの構成のいずれかは、任意の適切なストック又は特注の構成要素及び／又は任意の適切な材料又は材料の組み合わせを含み得る。説明された構造及び構成要素のいずれも、特定の使用環境に所望とされるように使い捨て又は再使用可能であり得る。任意の構成要素には、その構成要素に関する材料、構成、少なくとも１つの寸法などを示すためのユーザ認識可能なマーキングを設けることができ、ユーザ認識可能なマーキングは、特定の使用環境に関してユーザが類似の構成要素のアレイから１つの構成要素を選択するのを支援する。「所定の」状態は、操作されている構造体が実際にその状態に達する前の任意の時点で決定されてもよく、「事前の決定」は、構造体が所定の状態に達する直前に行われる。説明を明確にするために、いくつかの構造及び構成要素は、互いにわずかに離れているように図に概略的に描かれているが、当業者は、少なくとも文脈及び対応する説明に基づいてこれらの構造間の接触関係を理解するであろう。図面を明瞭にするために、示された重複する構成要素のうちのいくつかは具体的に番号が付けられていないが、当業者は番号が付けられた構成要素に基づいて番号が付けられていない構成要素に関連付けられるべき構成要素の番号を認識するであろう。同様の構成要素間の区別は、図中の要素番号の有無によってのみ意図されるか、又は暗示されない。本明細書に記載の特定の構成要素は特定の幾何学的形状を有するように示されているが、本開示のすべての構造は、特定の用途に望ましい任意の適切な形状、サイズ、構成、相対関係、断面積、又は任意の他の物理的特性を有し得る。本明細書で説明した実施形態及び構成のそれぞれを、他のすべての実施形態及び構成に関して説明したすべての選択肢を有するものとして説明することは実際的ではないので、１つの実施形態又は構成を参照して説明した任意の構造又は特徴は、単独で又は他の構造又は特徴と組み合わせて他の任意の実施形態又は構成に提供することができる。これらの特徴のいずれかを組み込んだ装置又は方法は、添付の特許請求の範囲及びその任意の均等物に基づいて決定されるように、本開示の範囲内に含まれると理解されるべきである。
【００３９】
他の態様、目的、及び利点は、図面、開示内容、及び添付の特許請求の範囲の検討から得ることができる。
【図１】
2019536294.tif 000003
【図２】
2019536294.tif 000004
【図３】
2019536294.tif 000005
【図４】
2019536294.tif 000006
【図５Ａ】
2019536294.tif 000007
【図５Ｂ】
2019536294.tif 000008
【図５Ｃ】
2019536294.tif 000009
【図５Ｄ】
2019536294.tif 000010
【図５Ｅ】
2019536294.tif 000011
【図５Ｆ】
2019536294.tif 000012
【図６】
2019536294.tif 000013
【図７Ａ】
2019536294.tif 000014
【図７Ｂ】
2019536294.tif 000015
【図８】
2019536294.tif 000016
【図９Ａ】
2019536294.tif 000017
【図９Ｂ】
2019536294.tif 000018
【図９Ｃ】
2019536294.tif 000019
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
フレキシブルコネクタであって、
第一及び第二の基板に対向する領域を有する単体のコネクタブロックであって、第一及び第二の基板に対向する領域は、前記コネクタブロックの選択された表面上に互いに長手方向に離間され、前記コネクタブロックは、前記選択された表面とは反対側に対向する反対表面から前記選択された表面を横断方向に分離するブロック本体を含み、前記コネクタブロックは、前記第一及び第二の基板に対向する領域間に長手方向に介在するフレキシブルコネクタブリッジを含む、前記コネクタブロックと、
前記第一の基板に対向する領域内に配置された第一のコネクタポートと、
前記第二の基板に対向する領域内に配置された第二のコネクタポートと、
前記第一及び第二の基板に対向する領域間の前記ブロック本体の少なくとも一部を通過するように延在するコネクタトレースとを備え、前記コネクタトレースは、前記第一及び第二のコネクタポートを電気的に接続する、フレキシブルコネクタ。
【請求項２】
前記コネクタブリッジ及び前記第一及び第二の基板に対向する領域が全て同じ材料から作製されている、請求項１に記載のフレキシブルコネクタ。
【請求項３】
前記コネクタブリッジは、前記第一及び第二の基板に対向する領域とは異なる材料から作製されている、請求項１に記載のフレキシブルコネクタ。
【請求項４】
前記コネクタブリッジ及び前記第一及び第二の基板に対向する領域は、前記コネクタブロックのモノリシック部品として同時かつ一体に形成されている、請求項２に記載のフレキシブルコネクタ。
【請求項５】
前記コネクタブロックの前記選択された表面及び前記反対表面のうちの選択された１つは、前記コネクタブロックの前記選択された表面及び前記反対表面のうちの他の１つとは前記コネクタブロックの長手方向の寸法に沿って異なる距離で外形が形成されている、請求項１に記載のフレキシブルコネクタ。
【請求項６】
前記コネクタブロックは、前記第一及び第二の基板に対向する領域の少なくとも１つにおける第一の横断方向の厚さと、前記とコネクタブリッジにおける第二の横断方向の厚さとを有し、前記第二の横断方向の厚さは、前記第一の横断方向の厚さに対して小サイズである、請求項１に記載のフレキシブルコネクタ。
【請求項７】
前記選択された表面は、第一及び第二の回路基板との間の電気的接続を形成するために第一及び第二の回路基板と対向し、前記ブロック本体は、前記選択された表面と前記反対表面との間に介在されている、請求項１に記載のフレキシブルコネクタ。
【請求項８】
前記ブロック本体は、少なくとも１つの厚肉部と、少なくとも１つの薄肉部とを含み、各コネクタトレースは、前記ブロック本体の厚肉部を通過するように横断方向に延在する少なくとも１つのビアを含む、請求項１に記載のフレキシブルコネクタ。
【請求項９】
回路基板上の対応する基板配向機構と選択的に係合するための少なくとも１つのコネクタ配向機構を含む、請求項１に記載のフレキシブルコネクタ。
【請求項１０】
前記ブロック本体は、複数の積層基板層を含み、前記選択された表面を形成する選択された基板層は、その長手方向の寸法に沿って大幅に変化する横断方向の厚さを有する、請求項１に記載のフレキシブルコネクタ。
【請求項１１】
方法であって、
横断方向に離間した上部及び底部の選択された基板表面を有する平坦な選択された基板を提供するステップと、
前記上部及び底部の選択された基板表面の選択された１つ上に互いに長手方向に離間した第一及び第二の基板に対向する領域を画定するステップと、
横断方向に離間した上部及び底部の対向基板表面を有する平坦な対向基板を提供するステップと、
前記選択された基板及び前記対向基板を共に取り付けて、外側対向表面上に第一及び第二の基板に対向する領域を有し、ブロック本体を含む単体のコネクタブロックを少なくとも部分的に形成するステップと、
導電性材料を堆積して前記第一の基板に対向する領域内に配置された第一のコネクタポートを形成するステップと、
導電性材料を堆積して前記第二の基板に対向する領域内に配置された第二のコネクタポートを形成するステップと、
前記選択された基板表面及び前記対向基板表面の少なくとも１つ上に導電性材料を堆積して、前記第一及び第二の基板に対向する領域間の前記ブロック本体の少なくとも一部を通過するように延在するコネクタトレースを形成するステップと、
前記第一及び第二のコネクタポートを前記コネクタトレースに電気的に接続するステップと、
前記選択された基板表面及び前記対向基板表面のうちの１つの厚さを選択的に減少させて、前記第一及び第二の基板に対向する領域間に長手方向に介在するフレキシブルコネクタブリッジを形成するステップと、
前記コネクタブリッジを用いて前記第一及び第二の基板に対向する領域の相対的な角度運動を可能にするステップと、を含む方法。
【請求項１２】
前記選択された基板表面及び前記対向基板表面のうちの１つの厚さを選択的に減少させて、前記第一及び第二の基板に対向する領域間に長手方向に介在するフレキシブルコネクタブリッジを形成するステップは、前記第一及び第二の基板に対向する領域が画定された後に、前記選択された基板表面及び前記対向基板表面のうちの１つの厚さを選択的に減少させることを含む、請求項１１に記載の方法。
【請求項１３】
前記選択された基板表面及び前記対向基板表面のうちの１つの厚さを選択的に減少させて、前記第一及び第二の基板に対向する領域間に長手方向に介在するフレキシブルコネクタブリッジを形成するステップは、前記第一及び第二の基板に対向する領域が画定された後に、前記選択された基板表面及び前記対向基板表面のうちの他方の１つの厚さを選択的に減少させることを含む、請求項１１に記載の方法。
【請求項１４】
前記選択された基板表面及び前記対向基板表面の少なくとも１つに導電性材料を堆積してコネクタトレースを形成するステップは、前記ブロック本体の厚肉部を通過するように横断方向に延在する少なくとも１つのビアを形成することを含む、請求項１１に記載の方法。
【請求項１５】
第一及び第二の相互に角度を付けて配置された回路基板を前記コネクタブロックを含むフレキシブルコネクタと電気的に接続するステップと、
回路基板上の基板配向機構を前記フレキシブルコネクタ上の対応するコネクタ配向機構と選択的に係合させるステップと、を含む請求項１１に記載の方法。
【手続補正２】
【補正対象書類名】明細書
【補正対象項目名】００３９
【補正方法】変更
【補正の内容】
【００３９】
他の態様、目的、及び利点は、図面、開示内容、及び添付の特許請求の範囲の検討から得ることができる。
以下に、上記実施形態から把握できる技術思想を付記として記載する。
［付記１］
複数対のパッドを相互に角度を付けて配置された回路基板上に電気的に接続するための装置であって、
横断方向に離間した上部及び底部の選択された基板表面を有する平坦な選択された基板であって、前記上部及び底部の選択された基板表面のうちの選択された１つ上に互いに長手方向に離間された第一及び第二の基板に対向する領域が存在している、前記平坦な選択された基板と、
横断方向に離間した上部及び底部の対向基板表面を有する平坦な対向基板と、前記選択された基板及び前記対向基板のうちの選択された１つは、その長手方向の寸法に沿って大きく変化する横断方向の厚さを有し、
前記選択された基板及び前記対向基板によって少なくとも部分的に形成された単体のコネクタブロックと、前記コネクタブロックは、ブロック本体を含み、
前記第一の基板に対向する領域内に配置された第一のコネクタポートと、
前記第二の基板に対向する領域内に配置された第二のコネクタポートと、
第一及び第二の基板に対向する領域間の前記ブロック本体の少なくとも一部を通過するように延在するコネクタトレースと、ここで、前記コネクタトレースは、前記第一及び第二のコネクタポートを電気的に接続し、
前記第一及び第二の基板に対向する領域間に長手方向に介在し、前記第一及び第二の基板に対向する領域の相対的な角度運動を可能にするフレキシブルコネクタブリッジとを備える装置。
［付記２］
前記コネクタブリッジ及び前記第一及び第二の基板に対向する領域は、全て同じ材料から作製されている、付記１に記載の装置。
［付記３］
前記コネクタブリッジは、前記第一及び第二の基板に対向する領域とは、異なる材料から作製されている、付記１に記載の装置。
［付記４］
前記コネクタブリッジ及び前記第一及び第二の基板に対向する領域が、前記コネクタブロックのモノリシック部品として同時かつ一体に形成されている、付記２に記載の装置。
［付記５］
前記コネクタブロックは、前記第一及び第二の基板に対向する領域の少なくとも１つにおける第一の横断方向の厚さと、前記とコネクタブリッジにおける第二の横断方向の厚さとを有し、前記第二の横断方向の厚さは、前記第一の横断方向の厚さに対して小サイズである、付記１に記載の装置。
［付記６］
前記ブロック本体は、少なくとも１つの厚肉部と、少なくとも１つの薄肉部とを含み、各コネクタトレースは、前記ブロック本体の厚肉部を通過するように横断方向に延在する少なくとも１つのビアを含む、付記１に記載の装置。
［付記７］
回路基板上の対応する基板配向機構と選択的に係合するための少なくとも１つのコネクタ配向機構を含む、付記１に記載の装置。
【国際調査報告】
2019536294.tif 000020
2019536294.tif 000021
2019536294.tif 000022